(57)【要約】  高音質化装置は、元の音声信号に対して所定種類の処理が施された処理済音声信号を、所定時間遅延させることで基本音信号を生成し、処理済音声信号を所定時間より短い時間だけ遅延させることで後方音信号を生成し、処理済音声信号を所定時間より長い時間だけ遅延させることで前方音信号を生成するディレイ手段を備える。そして、少なくとも生成された後方音信号及び生成された前方音信号に基いて、基本音信号が示す基本音に対する効果音を示す効果音信号を生成する効果音生成手段と、生成された効果音信号を基本音信号に合成する合成手段とを備える。
2007086380.tif 000002
【特許請求の範囲】
【請求項１】
元の音声信号に対して所定種類の処理が施された処理済音声信号を、所定時間遅延させることで基本音信号を生成し、前記処理済音声信号を前記所定時間より短い時間だけ遅延させることで後方音信号を生成し、前記処理済音声信号を前記所定時間より長い時間だけ遅延させることで前方音信号を生成するディレイ手段と、
少なくとも前記生成された後方音信号及び前記生成された前方音信号に基いて、前記基本音信号が示す基本音に対する効果音を示す効果音信号を生成する効果音生成手段と、
前記生成された効果音信号を前記基本音信号に合成する合成手段と
を備えたことを特徴とする高音質化装置。
【請求項２】
前記効果音生成手段は、前記生成された後方音信号及び前記生成された前方音信号に基いて、前記基本音に対する中低域効果音を示す中低域効果音信号を前記効果音信号の一部として生成すると共に、前記生成された後方音信号及び前記生成された前方音信号に基いて、前記基本音に対する中高域効果音を示す中高域効果音信号を前記効果音信号の他の一部として生成することを特徴とする請求の範囲第１項に記載の高音質化装置。
【請求項３】
前記効果音生成手段は、前記生成された後方音信号及び前記生成された前方音信号に加えて、前記生成された基本音信号に基いて、前記効果音信号を生成することを特徴とする請求の範囲第１項に記載の高音質化装置。
【請求項４】
前記効果音生成手段は、前記生成された後方音信号及び前記生成された前方音信号に基いて、前記基本音に対する中低域効果音を示す中低域効果音信号を前記効果音信号の一部として生成すると共に、前記生成された基本音信号に基いて、前記基本音に対する中高域効果音を示す中高域効果音信号を前記効果音信号の他の一部として生成することを特徴とする請求の範囲第３項に記載の高音質化装置。
【請求項５】
前記生成された中低域効果音信号の信号レベルを可変増幅率で増幅すると共に、前記生成された中高域効果音の信号レベルを可変増幅率で増幅する増幅手段と、
前記可変増幅率を変更する増幅率制御手段と
を更に備えたことを特徴とする請求の範囲第２項に記載の高音質化装置。
【請求項６】
前記増幅率制御手段は、前記可変増幅率を変更するように前記増幅手段を制御するマイクロコンピュータを有することを特徴とする請求の範囲第５項に記載の高音質化装置。
【請求項７】
前記増幅率制御手段は、前記効果音の音圧を検出すると共に該検出された音圧に応じて前記可変増幅率を変更するように前記増幅手段を制御する音圧検出回路を有することを特徴とする請求の範囲第５項に記載の高音質化装置。
【請求項８】
前記増幅率制御手段は、前記基本音の音圧を検出すると共に該検出された音圧に応じて前記可変増幅率を変更するように前記増幅手段を制御する音圧検出回路を有することを特徴とする請求の範囲第５項に記載の高音質化装置。
【請求項９】
前記効果音生成手段は、前記生成された後方音信号及び前記生成された前方音信号に基いて、前記基本音に対する中低域効果音を示す中低域効果音信号を前記効果音信号の一部として生成すると共に、前記生成された基本音信号に基いて、前記基本音に対する高域効果音を示す高域効果音信号を前記効果音信号の他の一部として生成することを特徴とする請求の範囲第１項に記載の高音質化装置。
【請求項１０】
前記効果音生成手段は、前記高域効果音信号を生成する手段として、前記基本音信号のｎ（ｎは二以上の自然数）倍音を生成するための高周波生成回路を有することを特徴とする請求の範囲第９項に記載の高音質化装置。
【請求項１１】
前記処理済音声信号を前記所定時間とは異なる時間だけ遅延させることで遅延音信号を生成する他のディレイ手段と、
前記生成された遅延音信号に基いて前記基本音信号が示す基本音に対する中高域効果音を示す中高域効果音信号を生成する他の効果音生成手段と
を更に備え、
前記効果音生成手段は、前記生成された後方音信号及び前記生成された前方音信号に基いて、前記基本音に対する中低域効果音を示す中低域効果音信号を前記効果音信号として生成し、
前記合成手段は、前記生成された中低域効果音信号及び前記生成された中高域効果音信号を前記基本音信号に合成する
ことを特徴とする請求の範囲第１項に記載の高音質化装置。
【請求項１２】
前記効果音生成手段は、前記生成された後方音信号及び前記生成された前方音信号に対して別々にフィルタリング処理を前記効果音信号を生成する処理の一部として施すことを特徴とする請求の範囲第１項に記載の高音質化装置。
【請求項１３】
前記ディレイ手段は、前記処理済音声信号を前記所定時間より短い相異なる複数の時間だけ遅延させることで前記後方音信号を複数生成し、前記処理済音声信号を前記所定時間より長い相異なる複数の時間だけ遅延させることで前記前方音信号を複数生成し、
前記効果音生成手段は、前記生成された複数の後方音信号及び前記生成された複数の前方音信号に対して別々に、フィルタリング処理を前記効果音信号を生成する処理の一部として施すことを特徴とする請求の範囲第１項に記載の高音質化装置。
【請求項１４】
前記効果音生成手段は、前記生成された後方音信号及び前記生成された前方音信号に対してまとめてフィルタリング処理を前記効果音信号を生成する処理の一部として施すことを特徴とする請求の範囲第１項に記載の高音質化装置。
【請求項１５】
前記ディレイ手段は、前記処理済音声信号を前記所定時間より短い相異なる複数の時間だけ遅延させることで前記後方音信号を複数生成し、前記処理済音声信号を前記所定時間より長い相異なる複数の時間だけ遅延させることで前記前方音信号を複数生成し、
前記効果音生成手段は、前記生成された複数の後方音信号及び前記生成された複数の前方音信号に対してまとめてフィルタリング処理を前記効果音信号を生成する処理の一部として施すことを特徴とする請求の範囲第１項に記載の高音質化装置。
【請求項１６】
前記ディレイ手段の前段において、前記処理済音声信号に対して信号レベルを下げる処理を行う前処理手段を
更に備えたことを特徴とする請求の範囲第１項に記載の高音質化装置。
【請求項１７】
元の音声信号に対して所定種類の処理が施された処理済音声信号を、所定時間遅延させることで基本音信号を生成し、前記処理済音声信号を前記所定時間より短い時間だけ遅延させることで後方音信号を生成し、前記処理済音声信号を前記所定時間より長い時間だけ遅延させることで前方音信号を生成するディレイ工程と、
少なくとも前記生成された後方音信号及び前記生成された前方音信号に基いて、前記基本音信号が示す基本音に対する効果音を示す効果音信号を生成する効果音生成工程と、
前記生成された効果音信号を前記基本音信号に合成する合成工程と
を備えたことを特徴とする高音質化方法。
【請求項１８】
コンピュータを、
元の音声信号に対して所定種類の処理が施された処理済音声信号を、所定時間遅延させることで基本音信号を生成し、前記処理済音声信号を前記所定時間より短い時間だけ遅延させることで後方音信号を生成し、前記処理済音声信号を前記所定時間より長い時間だけ遅延させることで前方音信号を生成するディレイ手段と、
少なくとも前記生成された後方音信号及び前記生成された前方音信号に基いて、前記基本音信号が示す基本音に対する効果音を示す効果音信号を生成する効果音生成手段と、
前記生成された効果音信号を前記基本音信号に合成する合成手段と
として機能させることを特徴とするコンピュータプログラム。
【発明の詳細な説明】
【技術分野】
【０００１】
本発明は、例えば圧縮符号化後に復号化された状態で入力された音声信号における圧縮符号化に伴い劣化した音質を改善させる音声高音質化装置など、音声信号に係る音質を高める高音質化装置及び方法、並びにコンピュータをそのような高音質化装置として機能させるコンピュータプログラムの技術分野に関する。
【背景技術】
【０００２】
この種の圧縮符号化された音声信号として、ＭＰ３（MPEG Audio Layer-3：ＭＰ３）或いはＷＭＡ（Windows Media Audio：ＷＭＡ）等の比較的圧縮比率の高い音声信号を聴く機会が急速に増えている。この背景には、ＭＰ３やＷＭＡ等が容量制限の厳しい携帯オーディオやインターネットでの通信に適していることが挙げられるが、その反面、高圧縮ゆえに再生時の音質が元の音声信号と比べて劣化してしまうという不具合も指摘されている。【０００３】
上記不具合に対処するために、例えば、原信号の特定周波数帯域における周波数成分が抑圧された入力信号から、該抑圧された周波数成分を近似的に生成して入力信号に付加することで、原信号に近い信号を復元するための周波数補間装置（特許文献１）が提案されている。【０００４】
【特許文献１】特願２００３−５２２９１０号公報
【発明の開示】
【発明が解決しようとする課題】
【０００５】
しかしながら、前述の特許文献１に開示されている周波数補間装置には、以下のような技術的問題が生じる可能性がある。【０００６】
即ち、前述の周波数補間装置は、あくまで失われた周波数成分を補完することで音質を改善するものであり、立ち上がり感及び抑揚感を改善するには至らない虞がある。加えて、生成された周波数成分を入力信号に付加する際の付加レベルは、例えば信号スペクトルについての膨大な物理量を長時間かけて分析するものであるので、その分析の規模或いは装置自体の規模が大きくなり、低コストでの装置搭載が困難となる虞もある。【０００７】
本発明は、例えば上述した問題点に鑑みてなされたものであり、何らかの処理が施された処理済の音声信号において該処理に伴い劣化した音質を改善することが可能な、比較的小規模の、高音質化装置及び方法、並びにコンピュータをそのような高音質化装置として機能させるコンピュータプログラムを提供することを課題とする。【０００８】
（音声高音質化装置）
本発明に係る高音質化装置は上述の課題を解決するために、元の音声信号に対して所定種類の処理が施された処理済音声信号を、所定時間遅延させることで基本音信号を生成し、前記処理済音声信号を前記所定時間より短い時間だけ遅延させることで後方音信号を生成し、前記処理済音声信号を前記所定時間より長い時間だけ遅延させることで前方音信号を生成するディレイ手段と、少なくとも前記生成された後方音信号及び前記生成された前方音信号に基いて、前記基本音信号が示す基本音に対する効果音を示す効果音信号を生成する効果音生成手段と、前記生成された効果音信号を前記基本音信号に合成する合成手段とを備える。【０００９】
本発明によれば、その動作時には、例えば遅延回路からなるディレイ手段によって、デコーダ等から入力される処理済音声信号が所定時間だけ遅延されることにより、基本音信号が生成される。ここに「処理済音声信号」とは、元の音声信号に対して何らかの処理が施された信号であり、典型的には、圧縮符号化された後に復号化処理の少なくとも一部が施された信号である。例えばＭＰ３或いはＷＭＡ等の高圧縮音声データが、復号化（言い換えれば、解凍或いはデコード）されてなるＰＣＭ（Pulse Code Modulation：ＰＣＭ）信号であるが、通常のＣＤ（Compact Disc：ＣＤ）或いはアナログ入力信号をＡ／Ｄ変換して得られるＰＣＭ信号でもよい。このような処理済音声信号の元となる圧縮符号化データ等の、元の音声信号は、処理時に信号の劣化が大なり小なり発生しており、典型的には、圧縮符号化時に、最小可聴限界曲線以下として削除される信号及び時間マスキング曲線に基いて元の成分が削除され、元の音源と比べて音質が劣化しており、それ故に何らかの音質改善処置が必要とされているのである。【００１０】
上述の如き基本音信号の生成と並行して又は相前後して、ディレイ手段によって、処理済音声信号が前記所定時間より短い時間だけ遅延されることにより、後方音信号が生成される。ここでの「短い時間」とは前記所定時間より短い限りにおいて、０以上であればよく、即ち全く遅延させない場合も含んでよい。更に、基本音信号に対して相対的に進めた或いは時間軸上で進めた場合も含んでもよい。他方、ディレイ手段によって、処理済音声信号が前記所定時間より長い時間だけ遅延されることによって、前方音信号が生成される。【００１１】
後方音信号及び前方音信号は夫々、少なくとも一つの信号として生成され、複数の後方音信号が生成される場合には、それらの遅延時間は相互に異なり、同様に、複数の前方音信号が生成される場合には、それらの遅延時間は相互に異なる。例えば、後方音信号は基本音信号に対して０．６ｍｓ遅れた信号及び１．１ｍｓ遅れた信号とし、他方、前方音信号は基本音信号に対して０．１５ｍｓ進んだ信号及び０．８ｍｓ進んだ信号とすればよい。【００１２】
続いて、少なくとも上述の如くに生成された後方音信号及び前方音信号に基いて、基本音信号が示す基本音に対する効果音を示す効果音信号が、効果音生成手段によって生成される。ここでの「少なくとも生成された後方音信号及び生成された前方音信号に基いて」は、これら二種類の信号のみに基いてもよいし、これらに加えて「基本音信号に基いて」の場合でもよい趣旨である。【００１３】
更に、このように生成された効果音信号は、例えば合成回路からなる合成手段によって基本音信号に合成されることで、基本音に対する効果音の付加が行われる。このように前方後方音信号のみならず後方前方音信号も効果音として基本音信号に合成すると、例えば、時間マスキング効果曲線に基づく圧縮時に削除された音が担っていたであろう立ち上がり感や抑揚感を向上することとなるのである。この際、ディレイ手段及び合成手段としては、例えば遅延回路及び合成回路を用いることができるので、装置自体の規模も極力小さく抑えられる。【００１４】
尚、上述した所定時間は、基本音信号からの時間的なずれとその効果との関係を予め実験的、経験的、シミュレーション等により求めることで、実際の高音質化装置に要求される性能や仕様が満足されるように種類別又は固体別に予め定めればよい。更にこのような所定時間を、当該装置の使用中や点検中に変更可能に構成してもよい。加えて、後方音信号の遅延時間の所定時間との差や前方音信号の遅延時間の所定時間との差については、好ましくは微小であるが、具体的な差の値は、どのような効果音を生成すべきかに応じて個別具体的に設定される性質のものであり、大きくても小さくても相応の効果が得られる。即ち、本発明に係る「後方音信号」や「前方音信号」にある「後方」或いは「前方」に時間的に定量的な意味はない。【００１５】
加えて、このような時間的にずれた形で遅延された各種信号を生成するにあたり、ＦＦＴ（Fast Fourier Transform：ＦＦＴ）分析して近接周波数を生成することも可能であるが、好適には、例えば遅延回路からなるディレイ手段を用いることで、必要とされるＤＳＰ（Digital Signal Processor：ＤＳＰ）リソースが大幅に軽減されることとなる。【００１６】
以上の結果、比較的小規模の装置によって、処理済音声信号において劣化した音質を好適に改善して出力可能となる。例えば、前方後方音信号のみならず後方前方音信号も効果音として利用されるので、言うなれば時間軸上で失われた信号を復活させることとなり、圧縮時に時間マスキング効果曲線に基づいて削除された音が担っていたであろう立ち上がり感や抑揚感が向上する。【００１７】
本発明に係る高音質化装置の一態様では、前記効果音生成手段は、前記生成された後方音信号及び前記生成された前方音信号に基いて、前記基本音に対する中低域効果音を示す中低域効果音信号を前記効果音信号の一部として生成すると共に、前記生成された後方音信号及び前記生成された前方音信号に基いて、前記基本音に対する中高域効果音を示す中高域効果音信号を前記効果音信号の他の一部として生成する。【００１８】
この態様によれば、基本音に対する中低域（例えば３００Ｈｚ以下の周波数域であるが、これに限る趣旨ではない）効果音を示す中低域効果音信号が、生成された後方音信号及び生成された前方音信号に基いて、効果音信号の一部として生成される。これと並行して又は相前後して、基本音に対する中高域（例えば４ｋＨｚ以上の周波数域であるが、これに限る趣旨ではない）効果音を示す中高域効果音信号が、生成された後方音信号及び生成された前方音信号に基いて、効果音信号の他の一部として生成される。従って、入力された処理済音声信号において劣化した音質を好適に改善して出力することが可能となる。例えば、入力の音楽信号の特性によっては中高域の音の揺らぎによって自然な効果を付加でき、例えばボーカル中心の楽曲の音質向上が見込まれる。【００１９】
本発明に係る高音質化装置の他の態様では、前記効果音生成手段は、前記生成された後方音信号及び前記生成された前方音信号に加えて、前記生成された基本音信号に基いて、前記効果音信号を生成する。【００２０】
この態様によれば、効果音信号が、生成された後方音信号及び生成された前方音信号に加えて、生成された基本音信号に基いて生成される。従って、効果音信号の全周波数帯域のバランスが相対的に向上する。【００２１】
この効果音生成手段に係る態様では、前記効果音生成手段は、前記生成された後方音信号及び前記生成された前方音信号に基いて、前記基本音に対する中低域効果音を示す中低域効果音信号を前記効果音信号の一部として生成すると共に、前記生成された基本音信号に基いて、前記基本音に対する中高域効果音を示す中高域効果音信号を前記効果音信号の他の一部として生成してもよい。【００２２】
この態様によれば、中低域効果音信号が、生成された後方音信号及び生成された前方音信号に基いて、効果音信号の一部として生成される。これと並行して又は相前後して、中高域効果音信号が、生成された基本音信号に基いて、効果音信号の一部として生成される。従って、中高域のバランスが相対的に向上すると共に、全体的に入力された処理済音声信号において劣化した音質を好適に改善して出力することが可能となる。【００２３】
上述した中低域効果音信号に係る各態様では、前記生成された中低域効果音信号の信号レベルを可変増幅率で増幅すると共に、前記生成された高域効果音の信号レベルを可変増幅率で増幅する増幅手段と、前記可変増幅率を変更する増幅率制御手段とを更に備えてもよい。【００２４】
この態様によれば、生成された中低域効果音信号の信号レベルと生成された中高域効果音の信号レベルとが、増幅率制御手段によって、可変増幅率で各々増幅される。従って、所定種類の処理のために失われた元の音声信号の品質を大なり小なり取り戻すことができる。具体的には、中高域及び中低域の音量感及び密度感が補われることとなる。【００２５】
この中低域効果音信号に係る態様では、前記増幅率制御手段は、前記可変増幅率を変更するように前記増幅手段を制御するマイクロコンピュータを有してもよい。【００２６】
この態様によれば、マイクロコンピュータによって、可変増幅率を変更するように増幅手段が制御される。例えば、処理済音声信号がＷＭＡ或いはＭＰ３の場合、これらの信号のビットレートをマイクロコンピュータが認識し、係るビットレートに応じて可変増幅率が変更されることになる。或いは、高音質化装置が搭載された製品の入力ファンクションをマイクロコンピュータが認識し、係る入力ファンクションに応じて可変増幅率が変更されることになる。従って、元の音声信号を再現するにあたって一層適切な効果音信号を作り出すことが可能となる。【００２７】
或いはこの中低域効果音信号に係る態様では、更に、前記増幅率制御手段は、前記効果音の音圧を検出すると共に該検出された音圧に応じて前記可変増幅率を変更するように前記増幅手段を制御する音圧検出回路を有してもよい。【００２８】
この態様によれば、例えば積分回路から成る音圧検出回路によって、効果音の音圧が検出され、該検出された音圧に応じて可変増幅率が変更される。この際、効果音の音圧は直接的のみならず、他の物理量から間接的に検出されてもよい。そして、例えば検出された効果音の音圧が基本音に比べて大きすぎれば、可変増幅率が相対的に小さくされる。このようにして、効果音の音圧に応じて好適に補正された効果音が基本音に合成されることとなる。【００２９】
或いはこの中低域効果音信号に係る態様では、更に、前記増幅率制御手段は、前記基本音の音圧を検出すると共に該検出された音圧に応じて前記可変増幅率を変更するように前記増幅手段を制御する音圧検出回路を有してもよい。【００３０】
この態様によれば、先ず、音圧検出回路によって、効果音に代えて基本音の音圧が検出される。この際、基本音の音圧は、複数の周波数帯域に分割されて検出されてもよいし、或いは帯域を分割されずに全周波数帯域の合成音圧として検出されてもよい。そして検出された音圧に応じて可変増幅率が変更される。従って、中低域或いは中高域のみならず、全周波数にわたって比較的バランスの良い効果音が基本音に合成されることとなる。【００３１】
本発明に係る高音質化装置の他の態様では、前記効果音生成手段は、前記生成された後方音信号及び前記生成された前方音信号に基いて、前記基本音に対する中低域効果音を示す中低域効果音信号を前記効果音信号の一部として生成すると共に、前記生成された基本音信号に基いて、前記基本音に対する高域効果音を示す高域効果音信号を前記効果音信号の他の一部として生成する。【００３２】
この態様によれば、効果音信号の一部として、基本音に対する中低域効果音を示す中低域効果音信号が生成されると共に、効果音信号の他の一部として、基本音に対する高域効果音を示す高域効果音信号が生成される。従って、所定種類の処理が施された結果として元の音声信号から失われる高域成分を補填できる。例えば、１２８ｋｂｐｓのＭＰ３に変換される際に失われる１６ｋＨｚ以上の高域成分を補填できる。【００３３】
この態様では、前記効果音生成手段は、前記高域効果音信号を生成する手段として、前記基本音信号のｎ（ｎは二以上の自然数）倍音を生成するための高周波生成回路を有してもよい。【００３４】
この態様によれば、高域効果音信号として、基本音信号のn倍音が生成される。例えば、基本音信号の二倍音（所謂、第２高調波）が生成される。従って、所定種類の処理が施された結果元の音声信号から失われる高域成分を一層自然に補填できる。【００３５】
本発明に係る高音質化装置の他の態様では、前記処理済音声信号を前記所定時間とは異なる時間だけ遅延させることで遅延音信号を生成する他のディレイ手段と、前記生成された遅延音信号に基いて前記基本音信号が示す基本音に対する中高域効果音を示す中高域効果音信号を生成する他の効果音生成手段とを更に備え、前記効果音生成手段は、前記生成された後方音信号及び前記生成された前方音信号に基いて、前記基本音に対する中低域効果音を示す中低域効果音信号を前記効果音信号として生成し、前記合成手段は、前記生成された中低域効果音信号及び前記生成された中高域効果音信号を前記基本音信号に合成する。【００３６】
この態様によれば、他のディレイ手段は、中低域効果音信号に係る所定時間とは異なる時間（好適には、前記基本音信号近傍かつ、中低域効果音信号に係る所定時間より短い時間）だけ処理済音声信号を遅延させて遅延音信号を生成する。こうして生成された遅延音信号に基いて、他の効果音生成手段によって、中高域効果音信号が生成される。これと同時に又は相前後して、生成された後方音信号及び生成された前方音信号に基いて、効果音生成手段によって、中低域効果音信号が生成される。そして、生成された中低域効果音信号及び生成された中高域効果音信号が、合成手段によって基本音信号に合成される。従って、中高域効果音信号と中低域効果音信号との遅延の程度を夫々異なるように設定できる。例えば、中高域効果音信号（特に、高域）の周波数特性に発生し得るピークやディップを極力軽減できる。【００３７】
上述した効果音生成手段に係る各態様では、前記効果音生成手段は、前記生成された後方音信号及び前記生成された前方音信号に対して別々にフィルタリング処理を前記効果音信号を生成する処理の一部として施してもよい。【００３８】
この態様によれば、生成された後方音信号及び生成された前方音信号に対して、効果音信号を生成する処理の一部として、別々にフィルタリング処理（ここで言うフィルタリング処理には、ローパス処理、ハイパス処理、バンドパス処理が含まれる）が施される。即ち、生成された後方音信号及び前方音信号が各々基本信号からどれだけ遅延させられているかに応じて、カットされる周波数帯域は各々異なり、もって、効果音の音質を一層細かく設定可能となる。【００３９】
或いは上述した効果音生成手段に係る各態様では、前記ディレイ手段は、前記処理済音声信号を前記所定時間より短い相異なる複数の時間だけ遅延させることで前記後方音信号を複数生成し、前記処理済音声信号を前記所定時間より長い相異なる複数の時間だけ遅延させることで前記前方音信号を複数生成し、前記効果音生成手段は、前記生成された複数の後方音信号及び前記生成された複数の前方音信号に対して別々に、フィルタリング処理を前記効果音信号を生成する処理の一部として施してもよい。【００４０】
この態様によれば、複数の後方音信号が、ディレイ手段によって、所定時間（例えば、１．００ｍｓ）より短い相異なる複数の時間（例えば、０．９９ｍｓ、０．９７ｍｓ・・・）だけ処理済音声信号を遅延させることで生成される。これと同時に又は相前後して、複数の前方音信号が、所定時間より長い相異なる複数の時間（例えば、１．０２ｍｓ、１．０４ｍｓ・・・）だけ処理済音声信号を遅延させることで生成される。尚、上述した複数の後方音信号と複数の前方音信号とは、同数である必要はない。後方音信号及び前方音信号の数は、音質設定上は多い方が好ましいが、例えば各々二本ずつあれば実践上十分効果的である。こうして生成された複数の後方音信号及び生成された複数の前方音信号に対して、効果音生成手段が別々にフィルタリング処理を施し、効果音信号を生成することで、効果音の音質をより一層細かく設定可能となる。【００４１】
或いは上述した効果音生成手段に係る各態様では、前記効果音生成手段は、前記生成された後方音信号及び前記生成された前方音信号に対してまとめてフィルタリング処理を前記効果音信号を生成する処理の一部として施してもよい。【００４２】
この態様によれば、生成された後方音信号及び生成された前方音信号に対して、効果音信号を生成する処理の一部として、まとめてフィルタリング処理（ここで言うフィルタリング処理には、ローパス処理、ハイパス処理、バンドパス処理が含まれる）が施される。この結果、処理済音声信号の品質を大なり小なり向上しつつも、装置の複雑化を回避できる。【００４３】
或いは上述した効果音生成手段に係る各態様では、前記ディレイ手段は、前記処理済音声信号を前記所定時間より短い相異なる複数の時間だけ遅延させることで前記後方音信号を複数生成し、前記処理済音声信号を前記所定時間より長い相異なる複数の時間だけ遅延させることで前記前方音信号を複数生成し、前記効果音生成手段は、前記生成された複数の後方音信号及び前記生成された複数の前方音信号に対してまとめてフィルタリング処理を前記効果音信号を生成する処理の一部として施してもよい。【００４４】
この態様によれば、生成された複数の後方音信号及び生成された複数の前方音信号に対して、効果音生成手段がまとめてフィルタリング処理を施すので、処理済音声信号の品質を大なり小なり向上しつつも、装置の複雑化を回避できる。【００４５】
上述したディレイ手段に係る各態様では、前記ディレイ手段の前段において、前記処理済音声信号に対して信号レベルを下げる処理を行う前処理手段を更に備えてもよい。【００４６】
この態様によれば、ディレイ手段の前段において、前処理手段によって、処理済音声信号に対して信号レベルが大なり小なり下げられ、もって、ＤＳＰのヘッドルームが確保される。【００４７】
（高音質化方法）
本発明の高音質化方法は上記課題を解決するために、元の音声信号に対して所定種類の処理が施された処理済音声信号を、所定時間遅延させることで基本音信号を生成し、前記処理済音声信号を前記所定時間より短い時間だけ遅延させることで後方音信号を生成し、前記処理済音声信号を前記所定時間より長い時間だけ遅延させることで前方音信号を生成するディレイ工程と、少なくとも前記生成された後方音信号及び前記生成された前方音信号に基いて、前記基本音信号が示す基本音に対する効果音を示す効果音信号を生成する効果音生成工程と、前記生成された効果音信号を前記基本音信号に合成する合成工程とを備える。【００４８】
本発明の高音質化方法によれば、上述した本発明の高音質化装置の場合と同様に、処理済音声信号において劣化した音質を好適に改善して出力可能となる。【００４９】
尚、本発明の高音質化方法においても、上述した本発明の高音質化装置における各種態様と同様の各種態様を採ることが可能である。【００５０】
（コンピュータプログラム）
本発明のコンピュータプログラムは上記課題を解決するために、コンピュータを、元の音声信号に対して所定種類の処理が施された処理済音声信号を、所定時間遅延させることで基本音信号を生成し、前記処理済音声信号を前記所定時間より短い時間だけ遅延させることで後方音信号を生成し、前記処理済音声信号を前記所定時間より長い時間だけ遅延させることで前方音信号を生成するディレイ手段と、少なくとも前記生成された後方音信号及び前記生成された前方音信号に基いて、前記基本音信号が示す基本音に対する効果音を示す効果音信号を生成する効果音生成手段と、前記生成された効果音信号を前記基本音信号に合成する合成手段ととして機能させる。【００５１】
本発明のコンピュータプログラムによれば、当該コンピュータプログラムを格納するＣＤ−ＲＯＭ、ＤＶＤ−ＲＯＭ等の記録媒体から、当該コンピュータプログラムをコンピュータに読み込んで実行させれば、或いは、当該コンピュータプログラムを通信手段を介してダウンロードさせた後に実行させれば、上述した本発明の高音質化装置を比較的簡単に構築できる。これにより、上述した本発明の高音質化装置の場合と同様に、処理済音声信号において劣化した音質を好適に改善して出力可能となる。【００５２】
上記課題を解決するために、コンピュータ読取可能な媒体内のコンピュータプログラム製品は、上述した本発明の高音質化装置（但し、その各種態様を含む）に備えられたコンピュータにより実行可能なプログラム命令を明白に具現化し、該コンピュータを、前記ディレイ手段、前記効果音生成手段、及び前記合成手段のうち少なくとも一部として機能させる。【００５３】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の高音質化装置を比較的容易に実施可能となる。更に具体的には、当該コンピュータプログラム製品は、上述した本発明の高音質化装置として機能させるコンピュータ読取可能なコード（或いはコンピュータ読取可能な命令）から構成されてよい。【００５４】
以上説明したように、本発明の高音質化装置によれば、ディレイ手段、効果音生成手段及び合成手段を備え、本発明の音声高音質化方法によれば、ディレイ工程、効果音生成工程及び合成工程を備えるので、何らかの処理が施された処理済の音声信号において該処理に伴い劣化した音質を改善することが可能となる。更に、本発明のコンピュータプログラムによれば、コンピュータをディレイ手段、効果音生成手段及び合成手段として機能させるので、上述した本発明の高音質化装置を、比較的容易に構築できる。【００５５】
本発明の作用及び他の利得は次に説明する実施例から明らかにされよう。
【図面の簡単な説明】
【００５６】
【図１】実施例に係る音声高音質化装置の基本構成を概念的に示すブロック図である。
【図２】第１実施例に係る音声高音質化装置の構成を概念的に示すブロック図である。
【図３】比較例に係る音声高音質化装置の構成を概念的に示すブロック図である。
【図４】第１実施例に係る音声高音質化装置と比較例に係る音声高音質化装置との周波数特性における違いを示す特性図である。
【図５】第２実施例に係る音声高音質化装置の構成を概念的に示すブロック図である。
【図６】第３実施例に係る音声高音質化装置の構成を概念的に示すブロック図である。
【図７】第４実施例に係る音声高音質化装置の構成を概念的に示すブロック図である。
【図８】第５実施例に係る音声高音質化装置の構成を概念的に示すブロック図である。
【図９】第６実施例に係る音声高音質化装置の構成を概念的に示すブロック図である。
【図１０】第７実施例に係る音声高音質化装置の構成を概念的に示すブロック図である。
【図１１】第８実施例に係る音声高音質化装置の構成を概念的に示すブロック図である。
【符号の説明】
【００５７】
１  増幅回路
２  ディレイ回路
３  増幅回路
４  合成回路
７  合成回路
５１Ｂ  中低域ＢＰフィルタ
５２Ｂ  中高域ＢＰフィルタ
６１  増幅回路
６２  増幅回路
５１Ｌ  ＬＰフィルタ
５２Ｈ  ＨＰフィルタ
６１Ｖ  可変増幅回路
６２Ｖ  可変増幅回路
６Ｍ  マイクロコンピュータ
６１ＳＰ  音圧検出回路
６２ＳＰ  音圧検出回路
６ＳＰ  音圧検出回路
５２Ａ  高調波生成回路
２’  中高域用ディレイ回路
３’  中高域用増幅回路
４’  中高域用合成回路
５Ｌ  ＬＰフィルタ
【発明を実施するための最良の形態】
【００５８】
以下、本発明を実施するための最良の形態について実施例毎に順に図面に基づいて説明する。【００５９】
（１）実施例に係る音声高音質化装置の基本構成
先ず、実施例に係る音声高音質化装置の基本構成について、図１を参照して説明する。ここに、図１は、実施例に係る音声高音質化装置の基本構成を概念的に示すブロック図である。【００６０】
図１において、本実施例に係る音声高音質化装置は、基本構成として、本発明に係る「前処理手段」の一例としての増幅回路１と、本発明に係る「ディレイ手段」の一例としてのディレイ回路２と、本発明に係る「効果音生成手段」一例としての増幅回路３及び合成回路４と、本発明に係る「合成手段」の一例としての合成回路７とを備え、入力された圧縮音声信号において劣化した音質を好適に改善して出力する。【００６１】
本実施例の音声高音質化装置は、ＭＰ３、ＷＭＡ等の高圧縮音声データが復号化（言い換えれば、解凍或いはデコード）されてなる、本発明に係る「処理済音声信号」の一例であるＰＣＭ信号を入力として、該ＰＣＭ信号における圧縮符号化に伴い劣化した音質を改善した上で、出力する装置である。【００６２】
増幅回路１は、例えばトランジスタ等の増幅素子を含んで成り、例えばＭＰ３、ＷＭＡ等の高圧縮音声データが復号化されてなるＰＣＭ信号の信号レベルを相対的に下げるように構成される。これにより、本実施例に係る音声高音質化装置の処理（具体的には、ＤＳＰ処理）用のヘッドルームを確保し、クリップを回避する。【００６３】
ディレイ回路２は、例えば遅延回路を含んで成り、電気的に接続された増幅回路１によって伝達される圧縮音声信号から時間的に遅れた、本発明に係る「遅延音信号」の一例であるディレイ信号を複数本生成するように構成される。具体的には、圧縮音声信号からｎ（０）［ｍｓ］〜ｎ（ｋ）［ｍｓ］（ここにｎ（０）〜ｎ（ｋ）は所定の実数値）遅れたディレイ信号を複数本生成するように構成される。そして、その内から例えばｎ（ｍ）［ｍｓ］を基本音信号に指定すると、その基本音信号に対して所定前方時間（例えばｎ（ｋ）−ｎ（m）［ｍｓ］）進んだ信号を前方音信号として、又、基本音信号に対して所定後方時間（例えばｎ（m）―ｎ（０）［ｍｓ］）遅れた信号を後方音信号として考えることが出来る。尚、好適には、所定前方時間と所定後方時間とが異なるように設定すれば、合成回路４が複数のディレイ信号を合成する際に発生するディップを極力軽減することができる。【００６４】
増幅回路３は、ディレイ回路２と電気的に接続され、上述のように生成された複数本のディレイ信号（即ち、後方音信号及び前方音信号）の各々のレベルを適宜調整可するように構成される。【００６５】
合成回路４は、各増幅回路３と電気的に接続され、レベルが調整された後方音信号及び前方音信号を合成するように構成される。【００６６】
合成回路７は、合成回路４及びディレイ回路２と電気的に接続され、上述のように合成された後方音信号及び前方音信号を、基本音信号に合成することで出力信号を生成するように構成される。【００６７】
以上、図１に示した、本実施例に係る音声高音質化装置の基本構成によると、入力された圧縮音声信号において劣化した音質を好適に改善して出力可能となる。例えば、前方音信号のみならず後方音信号も効果音として利用されるので、時間マスキング効果曲線に基づく圧縮時に削除された音が担っていたであろう立ち上がり感や抑揚感が向上する。【００６８】
（２）第１実施例
第１実施例に係る音声高音質化装置の構成を図１に加えて図２を参照して説明する。ここに、図２は、本実施例に係る音声高音質化装置の構成を概念的に示すブロック図である。尚、図２において、図１の構成と同一の構成については同一の参照符号を付し、その詳細な説明を適宜省略する。【００６９】
図２において、本実施例に係る音声高音質化装置は、特に、本発明に係る「効果音生成手段」の一例としての中低域ＢＰフィルタ５１Ｂ及び中高域ＢＰフィルタ５２Ｂと、増幅回路６１と、増幅回路６２とを備え、入力された圧縮音声信号において劣化した音質を、以下のように好適に改善して出力する。【００７０】
中低域ＢＰフィルタ５１Ｂは、例えば帯域通過フィルタを含んで成り、合成回路４と電気的に接続され、例えば後方音信号と前方音信号とが合成された合成信号のうち１０Ｈｚから３００Ｈｚまでの信号を通過させて中低域効果音信号を生成するよう構成されている。【００７１】
中高域ＢＰフィルタ５２Ｂは、例えばＩＩＲ型帯域通過フィルタを含んで成り、ディレイ回路２と電気的に接続され、基本音信号のうち４ｋＨｚから１２ｋＨｚまでの信号を通過させて中高域効果音信号を生成するよう構成されている。【００７２】
増幅回路６１は、中低域ＢＰフィルタ５１Ｂと電気的に接続され、中低域効果音信号の信号レベルを適宜調整するよう構成されている。【００７３】
増幅回路６２は、中高域ＢＰフィルタ５２Ｂと電気的に接続され、中高域効果音信号の信号レベルを適宜調整するよう構成されている。【００７４】
以上、図２に示した、本実施例に係る音声高音質化装置によると、入力された圧縮音声信号において劣化した音質を好適に改善して出力可能となる。具体的には、図２に加えて図３及び図４に示すように、中低域効果音信号及び中高域効果音信号が基本音信号に合成されるので、中低域及び中高域の音量感が相対的に増すこととなる。ここに、図３は、比較例に係る音声高音質化装置の構成を概念的に示すブロック図であり、図４は、第１実施例に係る音声高音質化装置と比較例に係る音声高音質化装置との周波数特性における違いを示す特性図である。即ち、図３に示した比較例に係る音声高音質化装置によって得られる出力信号の周波数特性は、図４の破線（処理ＯＦＦ）のように全周波数領域において平坦であるが、他方で、図２に示した本本実施例に係る音声高音質化装置によって得られる出力信号の周波数特性は、図４の実線（処理ＯＮ）のように中低域及び中高域が相対的に盛り上がっており、音量感が相対的に増すこととなる。ここで、基本音信号に加えられる効果音は前方音信号のみならず後方音信号も加えて生成された音信号である故、合成された信号において楽音の立ち上がりや抑揚感を改善する事ができ、もって入力された圧縮音声信号において劣化した音質を好適に改善して出力可能となる。【００７５】
（３）第２実施例
第２実施例に係る音声高音質化装置の構成を図１及び図２に加えて図５を参照して説明する。ここに、図５は、本実施例に係る音声高音質化装置の構成を概念的に示すブロック図である。尚、図５において、図１及び図２の構成と同一の構成については同一の参照符号を付し、その詳細な説明を適宜省略する。【００７６】
図５において、本実施例に係る音声高音質化装置は、特に、本発明に係る「効果音生成手段」の一例としてのＬＰフィルタ５１Ｌ及びＨＰフィルタ５２Ｈとを備え、入力された圧縮音声信号において劣化した音質を、以下のように好適に改善して出力する。【００７７】
ＬＰフィルタ５１Ｌは、例えばローパスフィルタを含んで成り、合成回路４と電気的に接続され、例えば後方音信号と前方音信号とが合成された合成信号のうち３００Ｈｚまでの信号を通過させて中低域効果音信号を生成するよう構成されている。【００７８】
ＨＰフィルタ５２Ｈは、例えばハイパスフィルタを含んで成り、合成回路４と電気的に接続され、例えば後方音信号と前方音信号とが合成された合成信号のうち４ｋＨｚを超える信号を通過させて中高域効果音信号を生成するよう構成されている。【００７９】
以上、図５に示した、本実施例に係る音声高音質化装置によると、入力された圧縮音声信号において劣化した音質を好適に改善して出力可能となる。特に、周波数特性上、高域信号にピークやディップが発生するが、入力される圧縮音声信号の特性によっては、中高域効果音信号に係る音の揺らぎにより、自然な効果を付加することとなり、音質向上が見込まれる。【００８０】
（４）第３実施例
第３実施例に係る音声高音質化装置の構成を図２に加えて図６を参照して説明する。ここに、図６は、本実施例に係る音声高音質化装置の構成を概念的に示すブロック図である。尚、図６において、図２の構成と同一の構成については同一の参照符号を付し、その詳細な説明を適宜省略する。【００８１】
図６において、本実施例に係る音声高音質化装置は、特に、本発明に係る「増幅手段」の一例としての可変増幅回路６１Ｖ及び可変増幅回路６２Ｖと、本発明に係る「増幅率制御手段」の一例としてのマイクロコンピュータ６Ｍとを備え、入力された圧縮音声信号において劣化した音質を、以下のように好適に改善して出力する。【００８２】
可変増幅回路６１Ｖは、中低域ＢＰフィルタ５１Ｂと電気的に接続され、中低域効果音信号のレベルを適宜調整するよう構成されている。【００８３】
可変増幅回路６２Ｖは、中高域ＢＰフィルタ５２Ｂと電気的に接続され、中高域効果音信号のレベルを適宜調整するよう構成されている。【００８４】
マイクロコンピュータ６Ｍは、例えばＣＰＵ（Central Processing Unit：ＣＰＵ）を含んで成り、可変増幅回路６１Ｖ及び可変増幅回路６２Ｖと電気的に接続され、例えば入力される圧縮音声信号を認識し、この入力される圧縮音声信号に基いて、生成された中低域効果音信号及び中高域効果音信号の夫々のレベルを調整するように可変増幅回路６１Ｖ及び可変増幅回路６２Ｖを制御するよう構成されている。【００８５】
以上、図６に示した、本実施例に係る音声高音質化装置によると、入力された圧縮音声信号において劣化した音質を好適に改善して出力可能となる。特に、マイクロコンピュータ６Ｍで可変増幅回路６１Ｖ及び可変増幅回路６２Ｖを制御するので、入力される圧縮音声信号に応じた適切な効果音を作り出すことが可能となるのである。【００８６】
（５）第４実施例
第４実施例に係る音声高音質化装置の構成を図６に加えて図７を参照して説明する。ここに、図７は、本実施例に係る音声高音質化装置の構成を概念的に示すブロック図である。尚、図７において、図６の構成と同一の構成については同一の参照符号を付し、その詳細な説明を適宜省略する。【００８７】
図７において、本実施例に係る音声高音質化装置は、特に、本発明に係る「音圧検出回路」の一例としての音圧検出回路６１ＳＰ及び音圧検出回路６２ＳＰを備え、入力された圧縮音声信号において劣化した音質を、以下のように好適に改善して出力する。【００８８】
音圧検出回路６１ＳＰは、例えば積分回路を含んで成り、ＢＰフィルタ５１Ｂ及び可変増幅回路６１Ｖと各々電気的に接続され、中低域効果音信号の音圧のレベルを検出し、検出されたレベルに基いて可変増幅回路６１Ｖをフィードフォワード的に調整するよう構成されている。例えば、検出されたレベルが比較的低ければ相対的にレベルが高くなるように中低域効果音信号のレベルを調整するよう構成されている。【００８９】
音圧検出回路６１ＳＰも、例えば積分回路を含んで成り、ＢＰフィルタ５２Ｂ及び可変増幅回路６２Ｖと各々電気的に接続され、音圧検出回路６１ＳＰと同様に中高域効果音信号のレベルを調整する。【００９０】
以上、図７に示した、本実施例に係る音声高音質化装置によると、入力された圧縮音声信号において劣化した音質を好適に改善して出力可能となる。特に、生成された中低域効果音信号、中高域効果音信号の音圧のレベルに応じて基本音信号に合成する度合いを変化させることにより、入力された圧縮音声信号に対してより適切な効果音信号を作り出すことが可能となる。【００９１】
（６）第５実施例
第５実施例に係る音声高音質化装置の構成を図７に加えて図８を参照して説明する。ここに、図８は、本実施例に係る音声高音質化装置の構成を概念的に示すブロック図である。尚、図８において、図７の構成と同一の構成については同一の参照符号を付し、その詳細な説明を適宜省略する。【００９２】
図８において、本実施例に係る音声高音質化装置は、特に、音圧検出回路６ＳＰを備え、入力された圧縮音声信号において劣化した音質を、以下のように好適に改善して出力する。【００９３】
音圧検出回路６ＳＰは、例えば積分回路を含んで成り、ディレイ回路２と電気的に接続され、基本音信号の音圧のレベルを検出し、検出されたレベルに基いて可変増幅回路６１Ｖ及び可変増幅回路６２Ｖを調整するよう構成されている。【００９４】
以上、図８に示した、本実施例に係る音声高音質化装置によると、入力された圧縮音声信号において劣化した音質を好適に改善して出力可能となる。特に、レベルを調整する際に、効果音信号ではなく、音圧検出回路６ＳＰによって検出された基本音信号のレベルに応じることで、全周波数帯域のバランス良く各効果音信号を合成することが可能となる。【００９５】
（７）第６実施例
第６実施例に係る音声高音質化装置の構成を図２に加えて図９を参照して説明する。ここに、図９は、本実施例に係る音声高音質化装置の構成を概念的に示すブロック図である。尚、図９において、図２の構成と同一の構成については同一の参照符号を付し、その詳細な説明を適宜省略する。【００９６】
図９において、本実施例に係る音声高音質化装置は、特に、本発明に係る「効果音生成手段」の一例としての高調波生成回路５２Ａを備え、入力された圧縮音声信号において劣化した音質を、以下のように好適に改善して出力する。【００９７】
高調波生成回路５２Ａは、ディレイ回路２と電気的に接続され、基本音信号に、該基本音信号のｎ倍音（ｎは二以上の自然数）を生成するための高調波生成処理を施すことで中高域効果音信号を生成するよう構成されている。【００９８】
以上、図９に示した、本実施例に係る音声高音質化装置によると、入力された圧縮音声信号において劣化した音質を好適に改善して出力可能となる。特に、入力される圧縮音声信号の圧縮時にカットされた高域成分（例えば、１２８ｋｂｐｓのＭＰ３では、１６ｋＨｚ以上がカットされている）を高調波生成回路５２Ａが補填することで、基本音信号に対して一層自然な中高域効果音信号を合成することが可能となる。【００９９】
（８）第７実施例
第７実施例に係る音声高音質化装置の構成を図５に加えて図１０を参照して説明する。ここに、図１０は、本実施例に係る音声高音質化装置の構成を概念的に示すブロック図である。尚、図１０において、図５の構成と同一の構成については同一の参照符号を付し、その詳細な説明を適宜省略する。【０１００】
図１０において、本実施例に係る音声高音質化装置は、特に、本発明に係る「他のディレイ手段」の一例としての中高域用ディレイ回路２’と、本発明に係る「他の効果音生成手段」の一例としての中高域用増幅回路３’、中高域用合成回路４’ 及びＨＰフィルタ５２Ｈとを備え、入力された圧縮音声信号において劣化した音質を、以下のように好適に改善して出力する。【０１０１】
中高域用ディレイ回路２’は、ディレイ回路２と同様に例えば遅延回路を含んで成り、電気的に接続された増幅回路１によって伝達される圧縮音声信号から時間的に遅れたディレイ信号を複数本生成するように構成される。具体的には、圧縮音声信号からｎ（０’）［ｍｓ］〜ｎ（３’）［ｍｓ］（ここにｎ（０’）〜ｎ（３’）は所定の実数かつ、ｎ（２）近傍の値）遅れたディレイ信号を複数本生成するように構成される。この際、中高域効果音信号（特に、高域）の周波数特性に現れるピークやディップを考慮すると、中高域効果音信号の生成に供するディレイ時間（つまり、ｎ（０’）〜ｎ（３’）の各々の時間間隔）が中低域効果音信号の生成に供するディレイ時間（つまり、ｎ（０）〜ｎ（４）の各々の時間間隔）に比べて短くすることが好ましい。【０１０２】
中高域用増幅回路３’は、増幅回路３と同様に、中高域用ディレイ回路２’と電気的に接続され、上述のように中高域用ディレイ回路２’によって生成された複数本のディレイ信号（即ち、後方音信号及び前方音信号）の各々のレベルを適宜調整するように構成される。【０１０３】
中高域用合成回路４’は、合成回路４と同様に、各中高域用増幅回路３’と電気的に接続され、レベルが調整された後方音信号及び前方音信号を合成するように構成される。【０１０４】
ＨＰフィルタ５２Ｈは、上述したように、例えば後方音信号と前方音信号とに対してまとめてハイパスのフィルタリング処理を施すことで、中高域効果音信号を生成するよう構成されている。【０１０５】
以上、図１０に示した、本実施例に係る音声高音質化装置によると、入力された圧縮音声信号において劣化した音質を好適に改善して出力可能となる。特に、中低域効果音信号の生成と中高域効果音信号の生成とで、異なるディレイ信号（具体的には、ディレイ回路２に係るディレイ信号と中高域用ディレイ回路２’に係るディレイ信号）が用いられるため、中高域効果音信号（特に、高域）の周波数特性に現れるピークやディップを極力軽減することとなる。【０１０６】
（９）第８実施例
第８実施例に係る音声高音質化装置の構成を図２に加えて図１１を参照して説明する。ここに、図１１は、本実施例に係る音声高音質化装置の構成を概念的に示すブロック図である。尚、図１１において、図２の構成と同一の構成については同一の参照符号を付し、その詳細な説明を適宜省略する。【０１０７】
図１１において、本実施例に係る音声高音質化装置は、特に、ＬＰフィルタ５Ｌを備え、後方音信号及び前方音信号に対してフィルタリング処理を別々に施すことで、入力された圧縮音声信号において劣化した音質を、以下のように好適に改善して出力する。【０１０８】
ＬＰフィルタ５Ｌは、ディレイ回路２が生成する複数本のディレイ信号（後方音信号及び前方音信号）の出力インターフェースと個別に接続され、各ディレイ信号毎に対して別々にローパスフィルタ処理をするよう構成されている。【０１０９】
ＨＰフィルタ５２Ｈは、ディレイ回路２と電気的に接続され、基本音信号（例えば入力された圧縮音声信号からｎ（２）［ｍｓ］遅れた信号）のうち４ｋＨｚを超える信号を通過させて中高域効果音信号を生成するよう構成されている。【０１１０】
以上、図１１に示した、本実施例に係る音声高音質化装置によると、入力された圧縮音声信号において劣化した音質を好適に改善して出力可能となる。特に、中低域効果音信号を生成する際に、ＬＰフィルタ５Ｌが各ディレイ信号毎に個別のローパスフィルタ処理をするので、各ディレイ信号に対して別々の変化をつけることができ、もって、より細かな音質設定が可能となるのである。【０１１１】
第１実施例から第８実施例に示す構成は、ＭＰ３プレーヤ等の音声再生装置の内部に組み込まれた或いは外部に接続された音声高音質化装置によって実現してもよいし、ディレイ工程、効果音生成工程及び合成工程を備えた音声高音質化方法に基いて音声再生装置を動作させることによって実現してもよい。或いは、コンピュータにコンピュータプログラムを読み込ませ、コンピュータをディレイ手段及び合成手段として機能させることで実現してもよい。【０１１２】
以上、本実施例によると、例えば圧縮符号化後に復号化された状態で入力された音声信号のように、何らかの処理が施された処理済の音声信号において該処理に伴い劣化した音質を改善することが可能となる。【０１１３】
尚、本発明は、上述した実施例に限られるものではなく、請求の範囲及び明細書全体から読み取れる発明の要旨、或いは思想に反しない範囲で適宜変更可能であり、そのような変更を伴う音声高音質化装置及び方法、並びにコンピュータプログラムもまた、本発明の技術的範囲に含まれるものである。
【産業上の利用可能性】
【０１１４】
本発明に係る高音質化装置及び方法、並びにコンピュータプログラムは、例えば圧縮符号化後に復号化された状態で入力された音声信号における圧縮符号化に伴い劣化した音質を改善させる音声高音質化装置に利用可能である。また、例えば民生用或いは業務用の各種コンピュータ機器に搭載される又は各種コンピュータ機器に接続可能な高音質化装置等にも利用可能である。
【図１】
2007086380.tif 000003
【図２】
2007086380.tif 000004
【図３】
2007086380.tif 000005
【図４】
2007086380.tif 000006
【図５】
2007086380.tif 000007
【図６】
2007086380.tif 000008
【図７】
2007086380.tif 000009
【図８】
2007086380.tif 000010
【図９】
2007086380.tif 000011
【図１０】
2007086380.tif 000012
【図１１】
2007086380.tif 000013
【国際調査報告】
2007086380.tif 000014
2007086380.tif 000015
2007086380.tif 000016